(57)【要約】【課題】用途に応じた２種類の温度の温水が熱源として供給される場合に、各温度での温水供給に応じて室温を目標温度付近に制御することができる温水暖房システムをコストを抑制して提供する。【解決手段】床暖房コントローラ５２は、６０℃の温水供給を想定して設定された検出室温と目標床暖房温度との温度差と熱動弁１５の所定制御周期におけるＯＮ／ＯＦＦパターンとの対応マップを予めメモリに記憶している。熱源機コントローラ２６は、８０℃の温水を温水循環路４を介して床暖房機３に供給する場合は、床暖房コントローラ５２から受信した前記温度差／温水供給量の対応マップにより決定された熱動弁１５のＯＮ／ＯＦＦパターンにおけるＯＮ時間を割合を減少する補正を行って、床暖房機３からの放熱量を減少させる。【選択図】　図１
2004028456.tif 000002
【特許請求の範囲】
【請求項１】
所定温度の温水を温水循環路を介して循環させる熱源機と、該温水循環路を介して供給される温水を熱源として暖房を行う高温暖房端末及び低温暖房端末と、該温水循環路から該低温暖房端末に供給される温水の流量を調節する流量調節手段と、該高温暖房端末を単独で作動させるとき及び該高温暖房端末と該低温暖房端末の双方を作動させるときは前記所定温度を高温設定温度とし、前記低温暖房端末を単独で作動させるときには前記所定温度を該高温設定温度よりも低い低温設定温度とする温水温度設定手段と、前記低温暖房端末が設けられた部屋の温度を検出する室温センサと、
前記低温設定温度での温水供給を想定して、所定の目標室温と前記室温センサの検出温度との温度差と、前記温水循環路から前記低温暖房端末機に供給される所定時間あたりの温水の量である温水供給量との対応関係を、前記温度差から把握される前記目標室温に対する前記室温センサの検出温度の不足度合が大きいほど前記温水供給量が多くなるように設定した温度差／温水供給量の対応マップのデータを予め記憶したメモリと、
前記所定温度が前記低温設定温度とされて前記低温暖房端末が単独で作動した状態であるときに、前記温度差を前記温度差／温水供給量の対応マップに適用して得られる温水供給量が確保されるように、前記流量調節手段により前記温水供給量を制御する温水供給量制御手段とを備えた温水暖房システムにおいて、
前記温水供給量制御手段は、前記所定温度が前記高温設定温度とされて前記高温暖房端末と前記低温暖房端末の双方が作動した状態であるときは、前記温度差を前記温度差／温水供給量の対応マップに適用して得られる温水供給量を、前記目標室温に対する前記室温センサの検出温度の不足度合が大きいほど前記温水供給量が多くなる関係を維持した上で減少させる補正を行い、該補正後の温水供給量が確保されるように前記流量調節手段により前記温水供給量を制御することを特徴とする温水暖房システム。
【請求項２】
前記温度差／温水供給量の対応マップは、前記温度差から把握される前記目標室温に対する前記室温センサの検出温度の過剰度合が大きいほど前記温水供給量が少なくなるように設定され、
前記温水供給量制御手段は、前記所定温度が前記高温設定温度とされて前記高温暖房端末と前記低温暖房端末の双方が作動した状態であるときに、前記温度差を前記温度差／温水供給量の対応マップに適用して得られる温水供給量を、前記目標室温に対する前記室温センサの検出温度の過剰度合が大きいほど前記温水供給量が少なくなる関係を維持した上で減少させる補正を行い、該補正後の温水供給量が確保されるように前記流量調節手段により前記温水供給量を制御することを特徴とする請求項１記載の温水暖房システム。
【請求項３】
前記流量調節手段は、前記温水循環路から前記低温暖房端末への温水の供給と遮断とを切り替える開閉弁であり、
前記温水供給量制御手段は、前記所定時間を制御周期とし、該制御周期における該開閉弁の開時間と閉時間との割合を変更することによって、前記温水供給量を制御することを特徴とする請求項１又は請求項２記載の温水暖房システム。
【請求項４】
前記温度差／温水供給量の対応マップは、前記温水供給量を前記制御周期における前記開閉弁の開時間と閉時間との割合で規定し、
前記温水供給量制御手段は、前記温度差を前記温度差／温水供給量の対応マップに適用して得られる前記制御周期における前記開閉弁の開時間の割合を減少させることによって、前記補正を行うことを特徴とする請求項３記載の温水暖房システム。
【発明の詳細な説明】
【０００１】
【発明の属する技術分野】
本発明は、熱源機から温水循環路を介して暖房端末に温水を供給することによって室内を暖房する温水暖房システムに関する。
【０００２】
【従来の技術】
熱源機から温水循環路に供給される温水を熱源として暖房を行う温水式の暖房端末として、例えば温風暖房機や床暖房機が知られている。そして、温水循環路と接続される暖房端末の種類によって、熱源機から温水循環路に出湯される温水の温度を変更するようにした暖房システムも知られている。
【０００３】
例えば、温水循環路に温風暖房機と床暖房機とが接続された暖房システムにおいては、温風暖房機を単独で運転するときは熱源機から温水循環路への出湯温度を高温（例えば８０℃）とし、床暖房機を単独で運転するときには熱源機から温水循環路への出湯温度を低温（例えば６０℃）としている。
【０００４】
この場合、床暖房機には室温を検出する室温センサが備えられ、目標暖房温度と該室温センサの検出温度との温度差に応じて、温水循環路から床暖房機に供給される温水の量を、熱源機に備えられた開閉弁の所定の制御周期における開時間と閉時間の割合を変更することによって、室温を目標温度付近に保つように制御していた。
【０００５】
そして、かかる制御を行うため、床暖房機には、室温センサの検出温度から目標暖房温度を減じた温度差に応じて、温水循環路から床暖房機への温水の供給量を決定するための温度差／温水供給量の対応マップを記憶したメモリが備えられ、該温度差を該相関マップに適用して温水供給量の制御値を決定していた。
【０００６】
ここで、温風暖房機と床暖房機の双方を運転するときは、温風暖房機の暖房能力を確保するために、熱源機から温水循環路に供給される温水の温度を高温（８０℃）に制御する必要がある。
【０００７】
しかし、このように熱源機から温水循環路に供給される温水の温度を高温（８０℃）としたときに、低温（６０℃）を想定した前記温度差／温水供給量の対応マップによって床暖房機への温水供給量を決定すると、床暖房機の放熱量が増加して室内の温度が上がり過ぎてしまう。
【０００８】
そこで、従来の暖房システムにおいては、前記温度差／温水供給量の対応マップを、予め低温（６０℃）設定用と高温（８０℃）設定用の２種類分メモリに記憶し、供給される温水の温度に応じて対応マップを使い分けるようにしていたが、この場合には必要なメモリ容量が増加して床暖房機のコストがアップするという不都合があった。
【０００９】
【発明が解決しようとする課題】
本発明は上記不都合を解消し、熱源機から暖房端末に対して２種類の温度の温水が供給される場合に、各温度での温水供給に応じて室温を目標室温付近に保つことができる温水暖房システムをコストを抑制して提供することを目的とする。
【００１０】
【課題を解決するための手段】
本発明は上記目的を達成するためになされたものであり、所定温度の温水を温水循環路を介して循環させる熱源機と、該温水循環路を介して供給される温水を熱源として暖房を行う高温暖房端末及び低温暖房端末と、該温水循環路から該低温暖房端末に供給される温水の流量を調節する流量調節手段と、該高温暖房端末を単独で作動させるとき及び該高温暖房端末と該低温暖房端末の双方を作動させるときは前記所定温度を高温設定温度とし、前記低温暖房端末を単独で作動させるときには前記所定温度を該高温設定温度よりも低い低温設定温度とする温水温度設定手段と、前記低温暖房端末が設けられた部屋の温度を検出する室温センサと、前記低温設定温度での温水供給を想定して、所定の目標室温と前記室温センサの検出温度との温度差と、前記温水循環路から前記低温暖房端末機に供給される所定時間あたりの温水の量である温水供給量との対応関係を、前記温度差から把握される前記目標室温に対する前記室温センサの検出温度の不足度合が大きいほど前記温水供給量が多くなるように設定した温度差／温水供給量の対応マップのデータを予め記憶したメモリと、前記所定温度が前記低温設定温度とされて前記低温暖房端末が単独で作動した状態であるときに、前記温度差を前記温度差／温水供給量の対応マップに適用して得られる温水供給量が確保されるように、前記流量調節手段により前記温水供給量を制御する温水供給量制御手段とを備えた温水暖房システムの改良に関する。
【００１１】
そして、前記温水供給量制御手段は、前記所定温度が前記高温設定温度とされて前記高温暖房端末と前記低温暖房端末の双方が作動した状態であるときは、前記温度差を前記温度差／温水供給量の対応マップに適用して得られる温水供給量を、前記目標室温に対する前記室温センサの検出温度の不足度合が大きいほど前記温水供給量が多くなる関係を維持した上で減少させる補正を行い、該補正後の温水供給量が確保されるように前記流量調節手段により前記温水供給量を制御することを特徴とする。
【００１２】
かかる本発明によれば、前記温水供給量制御手段は、前記所定温度が前記高温設定温度とされたときに、前記温度差を前記低温設定温度を想定して作成された前記温度差／温水供給量の対応マップに適用して得られる温水供給量を減少させる補正を行って、前記温水循環路から前記低温暖房端末への温水供給量を減少させる。そのため、前記高温設定温度を想定した温度差／温水供給量の対応マップを予めメモリに記憶させておく必要がなく、メモリ容量の増加による前記温水暖房システムのコストアップは生じない。
【００１３】
そして、前記温水循環路から前記低温暖房端末への温水供給量を減少させる補正は、前記目標室温に対する前記室温センサの検出温度の不足度合が大きいほど前記温水供給量が多くなる関係を維持した上で行われる。そのため、前記低温暖房端末から室内への放熱量の増加を抑制して、室内の温度を前記目標室温付近に保つことができる。
【００１４】
また、前記温度差／温水供給量の対応マップは、前記温度差から把握される前記目標室温に対する前記室温センサの検出温度の過剰度合が大きいほど前記温水供給量が少なくなるように設定され、前記温水供給量制御手段は、前記所定温度が前記高温設定温度とされて前記高温暖房端末と前記低温暖房端末の双方が作動した状態であるときに、前記温度差を前記温度差／温水供給量の対応マップに適用して得られる温水供給量を、前記目標室温に対する前記室温センサの検出温度の過剰度合が大きいほど前記温水供給量が少なくなる関係を維持した上で減少させる補正を行い、該補正後の温水供給量が確保されるように前記流量調節手段により前記温水供給量を制御することを特徴とする。
【００１５】
かかる本発明によれば、前記温水循環路から前記低温暖房端末に前記高温設定温度の温水が供給される場合に、前記温水供給量制御手段により、前記温水供給量を減少させる補正が前記目標室温に対する前記室温センサの検出温度の過剰度合が大きいほど前記温水供給量が少なくなる関係を維持した上で行われる。そのため、室内の温度を前記目標室温に維持するために必要な前記低温暖房端末から室内への放熱量が適切に設定され、室温が高くなり過ぎることを抑制することができる。
【００１６】
また、前記流量調節手段は、前記温水循環路から前記低温暖房端末への温水の供給と遮断とを切り替える開閉弁であり、前記温水供給量制御手段は、前記所定時間を制御周期とし、該制御周期における該開閉弁の開時間と閉時間との割合を変更することによって、前記温水供給量を制御することを特徴とする。
【００１７】
かかる本発明によれば、比較的安価な前記開閉弁を用いた簡易な制御により、前記温水循環路から前記低温暖房端末への温水供給量を制御することができる。
【００１８】
また、前記温度差／温水供給量の対応マップは、前記温水供給量を前記制御周期における前記開閉弁の開時間と閉時間との割合で規定し、前記温水供給量制御手段は、前記温度差を前記温度差／温水供給量の対応マップに適用して得られる前記制御周期における前記開閉弁の開時間の割合を減少させることによって、前記補正を行うことを特徴とする。
【００１９】
かかる本発明によれば、前記温水供給量制御手段は、前記温度差／温水供給量の対応マップから得られた前記制御周期における前記開閉弁の開時間の割合を減少させることによって、前記温水循環路から前記低温暖房端末への温水供給量を減少させる補正を容易に行うことができる。
【００２０】
【発明の実施の形態】
本発明の実施の形態の一例について、図１〜図３を参照して説明する。図１は、本発明の温水暖房システムの全体構成図、図２は検出室温から目標床暖房温度を減じた温度差に応じて温水循環路から床暖房機への温水供給量を決定するための温度差／温水供給量の対応マップを示した図、図３は図２に示した対応マップにより決定された熱動弁のＯＮ／ＯＦＦパターンを補正する方法の説明図である。
【００２１】
図１を参照して、本実施の形態の温水暖房システムは、室外に設置された熱源機１と、室内に設置された温風暖房機２（本発明の高温暖房端末に相当する）及び床暖房機３（本発明の低温暖房端末に相当する）とにより構成され、熱源機１と温風暖房機２及び床暖房機３とは温水循環路４によって接続されている。なお、温水循環路４は、温風暖房機２に温水を供給する温風暖房路５と床暖房機３に温水を供給する床暖房路６に分岐する。
【００２２】
熱源機１には、バーナ７により加熱されて温水循環路４内の温水を昇温する温水熱交換器８と、温水熱交換器８から供給される温水の温度を検出する温水サーミスタ９と、温水循環路４内に温水を循環させる循環ポンプ１０と、温水循環路４内の温水の膨張と収縮を吸収するシスターン１１と、温水熱交換器８から供給される温水をシスターン１１の入口にバイパスさせるバイパス路１２が備えられている。
【００２３】
さらに、熱源機１には、床暖房路６を開閉する熱動弁１５（本発明の流量調節手段に相当する）と、バーナ７に燃料ガスを供給するガス供給管２０と、ガス供給管２０を開閉する元ガス電磁弁２１及びガス電磁弁２２と、バーナ７への燃料ガスの供給流量を調節するガス比例弁２３と、バーナ７に燃焼用空気を供給する燃焼ファン２４と、電源スイッチやブザー等を有するスイッチ部２５と、熱源機コントローラ２６（本発明の温水供給量制御手段の機能を含む）とが備えられている。
【００２４】
熱源機コントローラ２６はマイコンやメモリ等によって構成された電子ユニットであり、温風暖房機２と通信ケーブル２７により接続され、床暖房機３の付近に設置された床暖房リモコン２８と通信ケーブル２９により接続されている。
【００２５】
温風暖房機２は、温風暖房路５と接続された温風熱交換器４０、温風暖房路５から温風熱交換器４０に供給される温水の流量を調節する流量調節弁４１、温風熱交換器４０で加熱された空気を温風として送出する温風ファン４２、暖房の開始／停止を指示するスイッチ等を有する温風暖房操作パネル４３、室温を検出する温風暖房サーミスタ４４、及び温風暖房機２の全体的な作動を制御する温風暖房コントローラ４５を備えている。
【００２６】
床暖房リモコン２８は、床暖房の開始／停止を指示するスイッチ等を有する床暖房操作パネル５０、室温を検出する床暖房サーミスタ５１（本発明の室温センサに相当する）、及び床暖房機３への温水の供給量を設定する床暖房コントローラ５２を備えている。
【００２７】
そして、熱源機コントローラ２６は、温風暖房コントローラ４５又は床暖房コントローラ５２から暖房運転の開始を指示する信号を受信したときに、バーナ７の点火処理を行い、循環ポンプ１０を作動させて温水循環路４への温水の供給を開始する。
【００２８】
以下、温風暖房機２の単独運転時、床暖房機３の単独運転時、及び温風暖房機２と床暖房機３の同時運転時における温水暖房システムの作動について説明する。
【００２９】
先ず、温風暖房機２の単独運転時は、熱源機コントローラ２６は、温水循環路４に８０℃（本発明の高温設定温度に相当する）の温水が供給されるように、バーナ７の燃焼量を制御する。すなわち、熱源機コントローラ２６は、温水サーミスタ９の検出温度が８０℃となるように、ガス比例弁２３によりバーナ７への燃料ガスの供給流量を制御すると共に、燃焼ファン２４によりバーナ７への燃焼用空気の供給流量を制御する。
【００３０】
そして、温風暖房コントローラ４５は、温風暖房サーミスタ４４の検出温度が温風暖房操作パネル４３により設定された目標温風暖房温度と一致するように、流量調節弁４１により温風熱交換器４０に供給される温水の流量を制御して、温風ファン４２により室内に温風を供給する。
【００３１】
次に、床暖房機３の単独運転時は、熱源機コントローラ２６は、温水循環路４に６０℃（本発明の低温設定温度に相当する）の温水が供給されるように、バーナ７の燃焼量を制御する。すなわち、熱源機コントローラ２６は、温水サーミスタ９の検出温度が６０℃となるように、ガス比例弁２３によりバーナ７への燃料ガスの供給流量を制御すると共に、燃焼ファン２４によりバーナ７への燃焼用空気の供給流量を制御する。
【００３２】
そして、床暖房コントローラ５２は、床暖房サーミスタ５１の検出温度が床暖房操作パネル５０により設定された目標床暖房温度（本発明の目標室温に相当する）と一致するように、熱動弁１５のＯＮ／ＯＦＦ（開／閉）パターンを指示する信号を熱源機コントローラ２６に送信する。
【００３３】
ここで、床暖房コントローラ５２は、図２の▲１▼に示した温度差／温水供給量の対応マップのデータを予めメモリ（図示しない）に記憶している。そして、床暖房コントローラ５２は、床暖房サーミスタ５１の検出温度（Ｔｓ）から目標床暖房温度（Ｔａ）を減じた温度差（ΔＴ＝Ｔｓ−Ｔａ）を温度差／温水供給量の対応マップに適用して得られる２０分の制御周期における熱動弁１５のＯＮ／ＯＦＦパターンを指示する信号を、熱源機コントローラ２６に送信する。
【００３４】
熱源機コントローラ２６は、床暖房コントローラ５２から受信した熱動弁１５のＯＮ／ＯＦＦパターンに従って、２０分の制御周期における熱動弁１５のＯＮ時間を設定し、これにより、床暖房路６から床暖房機３への２０分（本発明の所定時間に相当する）あたりの温水供給量を制御する。
【００３５】
この場合、図２の▲１▼に示した温度差／温水供給量の対応マップに従って、温度差（ΔＴ）の値が小さいほど温水供給量が多くなるように、熱動弁１５のＯＮ／ＯＦＦが制御される。すなわち、目標床暖房温度（Ｔａ）よりも床暖房サーミスタ５１の検出温度（Ｔｓ）の方が低い場合（ΔＴ＜０）は、目標床暖房温度（Ｔａ）に対する床暖房サーミスタ５１の検出温度（Ｔｓ）の不足度合が大きいほど、温水供給量が多くなるように、熱動弁１５のＯＮ／ＯＦＦが制御される。
【００３６】
一方、目標床暖房温度（Ｔａ）よりも床暖房サーミスタ５１の検出温度（Ｔｓ）の方が高い場合（ΔＴ＞０）には、目標床暖房温度（Ｔａ）に対する床暖房サーミスタ５１の検出温度（Ｔｓ）の過剰度合が大きいほど、温水供給量が少なくなるように、熱動弁１５のＯＮ／ＯＦＦが制御される。
【００３７】
次に、温風暖房機２と床暖房機３の同時運転時には、熱源機コントローラ２６は、温水循環路４に８０℃の温水が供給されるようにバーナ７の燃焼量を制御し、これにより温風暖房機２における暖房能力を優先的に確保している。
【００３８】
この場合、床暖房機３にも８０℃の温水が供給されることになるため、熱動弁１５を同一のＯＮ／ＯＦＦパターンで作動させたときに床暖房機３から放出される熱量が６０℃の温水が供給されるときよりも増加する。そのため、図２の▲１▼に示した温度差／温水供給量の対応マップにより、温度差（ΔＴ）に応じた熱動弁１５のＯＮ／ＯＦＦパターンを決定すると、目標床暖房温度（Ｔａ）に対して、室温が過剰に高くなってしまう。
【００３９】
そこで、熱源機コントローラ２６は、温水循環路４から床暖房機３に８０℃の温水を供給する場合は、図３に示したように、（ａ）の床暖房コントローラ５２から受信した熱動弁１５のＯＮ／ＯＦＦパターン（床暖房機要求ＯＮ／ＯＦＦパターン）と、（ｂ）のＯＮ時間を減少させたＯＮ／ＯＦＦパターン（熱源機制限ＯＮ／ＯＦＦパターン）とを合成して生成した、（ｃ）のＯＮ／ＯＦＦパターン（合成後ＯＮ／ＯＦＦパターン）で熱動弁１５のＯＮ／ＯＦＦを制御する。
【００４０】
この場合、（ａ）のＯＮ／ＯＦＦパターン（６０℃の温水が供給される場合を想定した熱動弁１５のＯＮ／ＯＦＦパターン）に対して、（ｃ）のＯＮ／ＯＦＦパターンのＯＮ時間が１．５分短くなるため、８０℃の温水が供給されることによる床暖房機３からの放熱量の増加が抑制され、目標床暖房温度（Ｔａ）に対して室温が過剰に高くなることを防止することができる。
【００４１】
そして、図２の▲１▼に示した床暖房コントローラ５２からのＯＮ／ＯＦＦパターンと、図２の▲２▼に示した熱源機の制限ＯＮ／ＯＦＦパターンとを合成して得られるＯＮ／ＯＦＦパターンは、図２の▲３▼に示したように、温度差（ΔＴ）が小さいほど床暖房機３への温水供給量が多くなる関係を維持したまま、床暖房機３における放熱量を減少させたものとなる。
【００４２】
そのため、床暖房機３に８０℃の温水が供給される場合であっても、温度差（ΔＴ）に応じて床暖房路６から床暖房機３への温水供給量が増減され、室温を目標床暖房温度（Ｔａ）付近に保つことができ、床温度が過剰に上昇することを防止して安全に室内を暖房することができる。
【００４３】
以上説明したように、本実施の形態では、床暖房機３に８０℃の温水が供給されるときに、熱源機コントローラ２６側の処理によって床暖房機３に供給される温水供給量を減少させている。そのため、床暖房コントローラ５２のメモリに、６０℃の温水供給に対応した温度差／温水供給量の対応マップとは別個に、８０℃の温水供給に対応した温度差／温水供給量の対応マップを予め記憶する必要がなく、床暖房コントローラ５２のコストは増加しない。また、床暖房コントローラ５２の仕様を変更する必要もない。
【００４４】
また、本実施の形態では温風暖房機２と床暖房機３に同じ温度の温水が供給されるいわゆる１温度タイプの温水暖房システムを示したが、温風暖房機２に高温（例えば８０℃）の温水が供給されると共に床暖房機３に低温（例えば６０℃）の温水が供給されるいわゆる２温度タイプの温水暖房システムにおいては、床暖房コントローラ５２は元々低温の温水に対応した温度差／温水供給量の対応マップしか備えられていない。
【００４５】
そのため、上述したように、熱源機コントローラ２６側の処理によって床暖房機３に供給される温水供給量を減少させることにより、従来異なる仕様とされていた１温度タイプ用の床暖房コントローラ（高温用と低温用の２種類の温度差／温水供給量の対応マップを備える）と、２温度タイプ用の床暖房コントローラ（低温用の温度差／温水供給量の対応マップのみを備える）の仕様を共通化することができる。すなわち、１温度タイプの温水暖房システムであるか２温度タイプの温水暖房システムであるかに拘わらず、床暖房コントローラは低温用の温度差／温水供給量の対応マップのみを備えればよい。
【００４６】
なお、本実施の形態では、制御周期における熱動弁１５のＯＮ時間とＯＦＦ時間の割合を変更することにより、床暖房機３への温水供給量を制御したが、熱動弁１５の変わりに流量調節弁を設け、該流量調節弁により床暖房路６の開度を調節して床暖房機３への温水供給量を制御するようにしてもよい。
【００４７】
この場合、熱源機コントローラ２６は、床暖房機３に８０℃の温水が供給されるときには、床暖房コントローラ５２から受信した６０℃の温水供給に応じた温水供給量の指示値を減少させる補正を行って、流量調節弁の開度を決定すればよい。
【００４８】
また、本実施の形態では、図２の▲１▼に示した温度差／温水供給の対応マップは、目標温度（Ｔａ）に対する床暖房サーミスタ５１の検出温度（Ｔｓ）の不足度合が大きいほど温水供給量を多く設定すると共に、目標温度（Ｔａ）に対する床暖房サーミスタ５１の検出温度（Ｔｓ）の過剰度合が大きいほど温水供給量を少なく設定した。
【００４９】
それに対して、温度差／温水供給量の対応マップを、目標温度（Ｔａ）に対する床暖房サーミスタ５１の検出温度（Ｔｓ）の不足度合が大きいほど温水供給量を多く設定する共に、目標温度（Ｔａ）に対して床暖房サーミスタ５１の検出温度（Ｔｓ）が過剰となったときは温水供給量を一定とするか或いは温水供給を停止するように設定する場合であっても、床暖房機３に供給される温水の温度が８０℃となったときに、温度差／温水供給量の対応マップから得られる温水供給量を、目標温度（Ｔａ）に対する床暖房サーミスタ５１の検出温度（Ｔｓ）の不足度合が大きいほど温水供給量が多くなる関係を維持して減少させる補正を行うことにより本発明の効果を得ることができる。
【００５０】
また、本実施の形態では、本発明の高温暖房端末として温風暖房機２を示し、本発明の低温暖房端末として床暖房機３を示したが、暖房開始時に放熱量を増大させて暖房を行う急速暖房機能を備えた床暖房機を複数セット設置した温水暖房システムにおいても本発明の適用が可能である。
【００５１】
この場合、いずれかの床暖房機が急速暖房を行うときに、熱源機から供給される温水の温度が通常の低温設定（例えば６０℃）から高温設定（例えば７２℃）に切り替えられるが、該急速暖房の実行中は、急速暖房を行わずに通常暖房を行う床暖房機への温水の供給量を熱源機コントローラ２６により減少させる補正を行えばよい。なお、この場合は、急速暖房を行う床暖房機が本発明の高温暖房端末に相当し、通常暖房を行う床暖房機が本発明の低温暖房端末に相当する。
【図面の簡単な説明】
【図１】本発明の温水暖房システムの全体構成図。
【図２】温度差／温水供給量の対応マップを示した図。
【図３】熱動弁のＯＮ／ＯＦＦパターンの補正方法の説明図。
【符号の説明】
１…熱源機、２…温風暖房機、３…床暖房機、４…温水循環路、５…温風暖房路、６…床暖房路、７…バーナ、８…温水熱交換器、９…温水サーミスタ、１０…循環ポンプ、１１…シスターン、１２…バイパス路、１５…熱動弁、２６…熱源機コントローラ、４５…温風暖房コントローラ、５１…床暖房サーミスタ、５２…床暖房コントローラ
【図１】
2004028456.tif 000003
【図２】
2004028456.tif 000004
【図３】
2004028456.tif 000005